(57)【特許請求の範囲】
【請求項１】
無線端末を下位ネットワーク及び／又は上位ネットワークに接続させるアクセスポイント手段と、
前記無線端末から簡易登録の要求を受けた場合に、その要求に応じてフィルタリストに固有ＩＤが登録されていない前記無線端末の接続を制限するフィルタリングを無効化するフィルタリング無効化手段と、
前記フィルタリングが無効化された状態における前記無線端末からの接続要求に応じて、当該無線端末の固有ＩＤを取得し、取得した固有ＩＤを前記フィルタリストに登録する固有ＩＤ登録手段と、
当該無線端末の固有ＩＤが前記フィルタリストに登録された後、前記フィルタリングを有効化するフィルタリング有効化手段と、を備えた通信装置。
【請求項２】
前記フィルタリングが無効化された状態における前記無線端末との通信エリアを、前記フィルタリングが有効化された状態における前記無線端末との通信エリアよりも縮小させる通信エリア縮小手段をさらに備えたことを特徴とする請求項１記載の通信装置。
【請求項３】
前記通信エリア縮小手段が、前記フィルタリングが無効化された状態における電波の出力レベルを、前記フィルタリングが有効化された状態における電波の出力レベルよりも低下させることを特徴とする請求項２記載の通信装置。
【請求項４】
前記フィルタリングを無効化した後、所定の時間が経過しても前記無線端末から接続要求がない場合に、前記フィルタリングを有効化する接続時間制限手段をさらに備えることを特徴とする請求項１〜３のいずれか一項に記載の通信装置。
【請求項５】
接続の手順を画面に表示する接続ガイド手段をさらに備えることを特徴とする請求項１〜４のいずれか一項に記載の通信装置。
【請求項６】
無線端末を下位ネットワーク及び／又は上位ネットワークに接続させ、
前記無線端末から簡易登録の要求を受けた場合に、その要求に応じてフィルタリストに固有ＩＤが登録されていない前記無線端末の接続を制限するフィルタリングを無効化し、
前記フィルタリングが無効化された状態における前記無線端末からの接続要求に応じて、当該無線端末の固有ＩＤを取得し、取得した固有ＩＤを前記フィルタリストに登録し、
当該無線端末の固有ＩＤが前記フィルタリストに登録された後、前記フィルタリングを有効化する接続方法。
【請求項７】
前記フィルタリングが無効化された状態における前記無線端末との通信エリアを、前記フィルタリングが有効化された状態における前記無線端末との通信エリアよりも縮小することを特徴とする請求項６記載の接続方法。
【請求項８】
前記フィルタリングが無効化された状態における電波の出力レベルを、前記フィルタリングが有効化された状態における電波の出力レベルよりも低下させることを特徴とする請求項７記載の接続方法。
【請求項９】
前記フィルタリングを無効化した後、所定の時間が経過しても前記無線端末から接続要求がない場合に、前記フィルタリングを有効化することを特徴とする請求項６〜８のいずれか一項に記載の接続方法。
【請求項１０】
請求項６乃至９の何れかに記載された接続方法をコンピュータにより実現するための
、接続プログラムを記録した記録媒体。
【発明の詳細な説明】
【技術分野】
【０００１】
本発明は、無線ＬＡＮ（Ｌｏｃａｌ  Ａｒｅａ  Ｎｅｔｗｏｒｋ）のアクセスポイントとして動作する携帯電話機などの通信装置と、このような通信装置に無線ＬＡＮ端末を接続するための接続方法及び接続プログラムに関する。
【背景技術】
【０００２】
無線ＬＡＮインタフェースを装備した無線ＬＡＮ端末（無線端末）が広く使われるようになってきている。例えば、無線ＬＡＮインタフェースを装備したゲーム機を用いて、インターネットなどのネットワークを介した対戦ゲームや、ゲームソフトのダウンロードが行われるようになってきている。
このような無線ＬＡＮ端末がネットワークに接続する際には、通常、アクセスポイントや、アクセスポイント機能を有するルータが用いられる。
アクセスポイントは、無線ＬＡＮ端末を有線ＬＡＮなどの下位ネットワークに接続させることができる。アクセスポイント機能を有するルータは、無線ＬＡＮ端末をインターネットなどの上位ネットワークに接続させることができる。
この種のアクセスポイントは、無線ＬＡＮ端末と無線で接続されるので、アクセスポイントの不正使用などを防ぐことを目的として、通常、フィルタリング、暗号化などのセキュリティ機能を備えている。
例えば、フィルタリング機能は、使用する無線ＬＡＮ端末の固有ＩＤ（Ｉｄｅｎｔｉｆｉｃａｔｉｏｎ）（例えば、ＭＡＣ（Ｍｅｄｉａ  Ａｃｃｅｓｓ  Ｃｏｎｔｒｏｌ）アドレス）が登録されるフィルタリストを備え、このフィルタリストに固有ＩＤが登録されていない無線ＬＡＮ端末の接続を制限することができる。このような技術は、例えば、特開平１０−２７１１５４号公報、特許第３０８２６８６号公報に開示される。
ところで、近年、携帯電話機に代表される携帯型の通信装置に無線ＬＡＮのアクセスポイント機能を設けることが提案されている。
このように携帯電話機等の携帯可能な通信装置に無線ＬＡＮのアクセスポイント機能を設けることにより、無線ＬＡＮ端末を任意の場所でインターネットなどのネットワークに接続させることが可能となるため、様々な利用機会が想定される。
例えば、無線ＬＡＮインタフェースを装備したモバイルＰＣ、携帯型ゲーム機などの携帯型無線ＬＡＮ端末を、携帯電話機のアクセスポイント機能を用いて外出先でインターネットに接続することが想定される。また、オフィスに設置されたアクセスポイントが故障したときに、携帯電話機のアクセスポイント機能を一時的に代用することも想定される。
ここで、携帯電話機等の通信装置に設けられるアクセスポイント機能は、通常のアクセスポイント機能と同様、フィルタリング、暗号化などのセキュリティ機能を有する。予め登録されていない無線ＬＡＮ端末が接続するときは、セキュリティ機能の設定変更作業が必要とされる。
しかしながら、セキュリティ機能の設定変更作業は、接続したい無線ＬＡＮ端末のＭＡＣアドレスを調べたり、フィルタリストにＭＡＣアドレスを追加したりするといった専門知識を要する。したがって、一般の使用者が携帯電話機のアクセスポイント機能を気軽に利用することは困難であるという問題がある。
なお、近年においては、アクセスポイントと無線ＬＡＮ端末との接続に関する設定作業を簡略化する技術が種々提案されている。例えば、特開２００６−１３５８７４号公報に記載の設定システムでは、充電及び通信機能を有するクレードルに無線ＬＡＮ端末がセットされると、無線ＬＡＮ通信に必要な各種の通信制御情報が無線ＬＡＮ端末に自動的に転送される。
しかしながら、特開２００６−１３５８７４号公報記載の設定システムは、設定作業を簡略化したとしても、クレードルに無線ＬＡＮ端末をセットするという事前の設定作業を必要とするので、想定外の利用機会や緊急な利用機会には対応できないという問題がある。
【発明の開示】
【発明が解決しようとする課題】
【０００３】
本発明は、上記事情に鑑みてなされたものであり、フィルタリストに固有ＩＤが登録されていない無線端末であっても、事前の設定作業を必要とせずに、簡易にアクセスポイントを利用可能とすることができる通信装置、接続方法及び接続プログラムの提供を目的とする。
【課題を解決するための手段】
【０００４】
本発明の第１の通信装置は、無線端末を下位ネットワーク及び／又は上位ネットワークに接続させるアクセスポイント手段と、フィルタリストに固有ＩＤが登録されていない無線端末の接続を制限するフィルタリングを無効化するフィルタリング無効化手段と、フィルタリングが無効化された状態における無線端末からの接続要求に応じて、無線端末の固有ＩＤを取得し、取得した固有ＩＤを前記フィルタリストに登録する固有ＩＤ登録手段と、無線端末の固有ＩＤがフィルタリストに登録された後、フィルタリングを有効化するフィルタリング有効化手段とを備える。
本発明の第１の接続方法は、無線端末を下位ネットワーク及び／又は上位ネットワークに接続させ、フィルタリストに固有ＩＤが登録されていない無線端末の接続を制限するフィルタリングを無効化し、フィルタリングが無効化された状態における無線端末からの接続要求に応じて、無線端末の固有ＩＤを取得し、取得した固有ＩＤを前記フィルタリストに登録し、無線端末の固有ＩＤがフィルタリストに登録された後、フィルタリングを有効化する。
本発明の第１の記録媒体は、無線端末を下位ネットワーク及び／又は上位ネットワークに接続させる処理と、フィルタリストに固有ＩＤが登録されていない無線端末の接続を制限するフィルタリングを無効化する処理と、フィルタリングが無効化された状態における無線端末からの接続要求に応じて、無線端末の固有ＩＤを取得し、取得した固有ＩＤをフィルタリストに登録する処理と、無線端末の固有ＩＤがフィルタリストに登録された後、フィルタリングを有効化する処理とを、コンピュータに実行させる接続プログラムを記録する。
【発明の効果】
【０００５】
本発明によれば、アクセスポイント機能及びフィルタリング機能を備える通信装置に対して、フィルタリストに固有ＩＤが登録されていない無線端末でも、事前の設定作業等を必要とせずに、簡易にアクセスポイントを利用することが可能となるという効果が得られる。
【図面の簡単な説明】
【０００６】
図１は、本発明の第１の実施形態に係る携帯端末装置の概略構成を示すブロック図である。
図２は、本発明の第１の実施形態に係る携帯端末装置の詳細構成を示すブロック図である。
図３は、本発明の第１の実施形態に係る携帯端末装置の通信エリアを示す説明図である。
図４は、本発明の第１の実施形態に係る携帯端末装置の簡易接続時における画面の遷移を示す説明図である。
図５は、本発明の第１の実施形態に係る携帯端末装置の固有ＩＤ手動登録時における画面の遷移を示す説明図である。
図６は、本発明の第１の実施形態に係る携帯端末装置の簡易接続時における動作手順を示す図である。
図７は、本発明の第１の実施形態に係る携帯端末装置の簡易接続時における処理手順を示すフローチャートである。
図８は、本発明の第２の実施形態に係る通信装置の構成を示すブロック図である。
【発明を実施するための最良の形態】
【０００７】
以下、本発明の通信装置、接続方法及び接続プログラムの実施形態について、図面を参照して説明する。
ここで、以下に示す本実施形態の通信装置で実行される処理動作（接続方法）は、プログラム（ソフトウェア）の命令によりコンピュータで実行される処理、手段、機能によって実現される。プログラムは、コンピュータの各構成要素に指令を送り、以下に示すような本実施形態の所定の処理を行わせる。例えば、所定の処理は、無線端末を下位ネットワーク及び／又は上位ネットワークに接続させるアクセスポイント処理と、フィルタリストに固有ＩＤが登録されていない無線端末の接続を制限するフィルタリングを無効化するフィルタリング無効化処理とを含む。また、所定の処理は、フィルタリングが無効化された状態における無線端末からの接続要求に応じて、無線端末の固有ＩＤを取得し、取得した固有ＩＤを前記フィルタリストに登録する固有ＩＤ登録処理と、無線端末の固有ＩＤがフィルタリストに登録された後、フィルタリングを有効化するフィルタリング有効化処理とを含む。
このように、本実施形態における各処理や手段は、プログラムとコンピュータとが協働した具体的手段によって実現される。
なお、プログラムの全部又は一部は、例えば、磁気ディスク，光ディスク，半導体メモリ，その他任意のコンピュータで読取り可能な記録媒体により提供され、記録媒体から読み出されたプログラムがコンピュータにインストールされると共に実行される。また、プログラムは、記録媒体を介さず、通信回線を通じて直接にコンピュータにロードし実行することもできる。
第１の実施形態
図１は、本発明の一実施形態に係る携帯端末装置の概略構成を示すブロック図である。
この図に示すように、本発明の一実施形態に係る携帯端末装置１００は、携帯電話機に代表される無線通信可能な携帯型の通信装置でよい。
携帯端末装置１００は、図１に示すように、操作部１０、表示部２０、記憶部３０、音声入出部４０、発光通知部５０、振動通知部６０、端末制御部７０、移動通信制御部８０、無線ＬＡＮ通信制御部９０等を備えている。
操作部１０は、使用者が電話番号などを入力するための入力装置であり、複数の押ボタンスイッチを備える。
表示部２０は、携帯電話機の各種状態を使用者に報知する表示装置であり、白黒、或いはカラーの液晶パネルを備える。
記憶部３０は、携帯電話機の制御情報、使用者が入力した情報、外部から受信した情報などを保存する記憶装置である。
音声入出力部４０は、通話を行うための音声入出力装置であり、マイクやスピーカを備える。
発光通知部５０は、携帯電話機の各種状態を光で通知する状態通知装置であり、ランプやＬＥＤを備える。
振動通知部６０は、携帯電話機の各種状態を振動で通知する状態通知装置であり、バイブレータを備える。
端末制御部７０は、これら各部を制御し、携帯電話機としての動作を実現している。
移動通信制御部８０は、携帯電話通信網（上位ネットワーク）の基地局と通信する第一の無線装置８１を備え、携帯電話機の無線制御や無線状態の通知に係る情報交換を端末制御部７０との間で行う。
無線ＬＡＮ通信制御部９０は、無線ＬＡＮ（下位ネットワーク）の無線ＬＡＮ端末と通信する第二の無線装置９１を備え、無線ＬＡＮの無線制御や無線状態の通知に係る情報交換を端末制御部７０との間で行う。
本発明の一実施形態に係る端末制御部７０は、アクセスポイント手段７１、フィルタリング手段７２及び簡易接続手段７３を備える。これらの手段は、端末制御部７０において、アクセスポイントプログラム、フィルタリングプログラム、簡易接続プログラムなどのプログラムを実行することにより実現される機能である。
アクセスポイント手段７１は、無線ＬＡＮ端末（無線端末）を、無線ＬＡＮに接続したり、携帯電話通信網を介してインターネット（上位ネットワーク）に接続したりする。
フィルタリング手段７２は、フィルタリストに固有ＩＤが登録されていない無線ＬＡＮ端末の接続を制限するセキュリティ機能である。固有ＩＤとしては、例えば、ＭＡＣアドレスが用いられる。ＭＡＣアドレスを用いたフィルタリングは、様々な通信機器で採用されており、例えば、特開平１０−２７１１５４号公報や特許第３０８２６８６号公報に開示されている。
簡易接続手段７３は、フィルタリストに固有ＩＤが登録されていない無線ＬＡＮ端末を無線ＬＡＮやインターネットに簡易的に接続させる。簡易接続手段７３は、フィルタリング無効化手段７４と、固有ＩＤ登録手段７５と、フィルタリング有効化手段７６とを備える。
フィルタリング無効化手段７４は、フィルタリストに固有ＩＤが登録されていない無線ＬＡＮ端末の接続を許可すべく、フィルタリングを無効化する。
固有ＩＤ登録手段７５は、フィルタリングが無効化された状態における無線ＬＡＮ端末からの接続要求に応じて、当該無線ＬＡＮ端末の固有ＩＤを取得し、取得した固有ＩＤをフィルタリストに登録する。
フィルタリング有効化手段７６は、当該無線ＬＡＮ端末の固有ＩＤがフィルタリストに登録された後、フィルタリングを有効化する。
このような簡易接続手段７３によれば、フィルタリストに固有ＩＤが登録されていない無線ＬＡＮ端末であっても、事前の設定作業を必要とせずに、簡易にアクセスポイントを利用することができる。
しかも、簡易接続手段７３は、無線ＬＡＮ端末の接続に際してフィルタリストに固有ＩＤを登録できるだけでなく、接続後、速やかにフィルタリングを有効化することにより、他の無線ＬＡＮ端末によるアクセスポイントの不正使用も防止することができる。
次に、本発明の一実施形態に係る携帯端末装置の詳細構成について、図２〜図５を参照して説明する。
図２は、本実施形態に係る携帯端末装置の詳細構成を示すブロック図である。図３は、本実施形態に係る携帯端末装置の通信エリアを示す説明図である。図４は、本実施形態に係る携帯端末装置の簡易接続時における画面の遷移を示す説明図である。図５は、本実施形態に係る携帯端末装置の固有ＩＤ手動登録時における画面の遷移を示す説明図である。
図２に示すように、本実施形態に係る携帯端末装置１００の端末制御部７０は、簡易接続手段７３の一部として、通信エリア縮小手段７７と、簡易接続時間制限手段７８と、簡易接続ガイド手段７９とを更に備える。
通信エリア縮小手段７７は、図３に示すように、フィルタリングが無効化された状態における無線ＬＡＮ端末２００との通信エリアＡ（例えば、３０ｃｍ）を、フィルタリングが有効化された状態における無線ＬＡＮ端末２００との通信エリアＢ（例えば、１０ｍ）よりも縮小させる。
例えば、フィルタリングが無効化された状態における電波の出力レベルを、フィルタリングが有効化された状態における電波の出力レベルよりも低下させることにより、無線ＬＡＮ端末２００との通信エリアを縮小させることができる。
これにより、フィルタリングを無効化しても、他の無線ＬＡＮ端末によるアクセスポイントの不正使用や誤接続を防止することができる。
簡易接続時間制限手段７８は、フィルタリングを無効化した後、所定の時間（例えば、３０秒）が経過しても無線ＬＡＮ端末２００から接続要求がない場合に、フィルタリングを有効化する。これにより、長時間に亘るフィルタリングの無効化を回避し、他の無線ＬＡＮ端末によるアクセスポイントの不正使用や誤接続を防止することができる。
簡易接続ガイド手段７９は、簡易接続の手順を画面に表示する。
例えば、図４に示すように、アクセスポイントモード画面（Ｇ１１）において、ユーザが接続開始を選択し、所定の操作（決定ボタン操作）を行うと、簡易接続ガイド手段７９はアクセスポイント接続開始画面（Ｇ１２）に移行し、この画面で無線ＬＡＮ端末の接続を行う旨を報知する。
フィルタリストに固有ＩＤが登録された無線ＬＡＮ端末の場合は、ここで無線ＬＡＮ端末の接続操作を行うことにより接続が完了し、簡易接続ガイド手段７９は接続完了を報知する画面（Ｇ１４）に移行する。
一方、フィルタリストに固有ＩＤが登録されていない無線ＬＡＮ端末の場合は、この画面において、ユーザは所定の操作（簡易登録ボタン操作）を行う。
この操作を行うと、フィルタリングの無効化及び接続待ちタイマの起動が行われた後、簡易接続ガイド手段７９は無線ＬＡＮ端末の接続操作を求める画面（Ｇ１３）に移行する。
この状態で、ユーザが無線ＬＡＮ端末の接続操作を行うと、アクセスポイントへの接続が許可されるとともに、接続される無線ＬＡＮ端末の固有ＩＤがフィルタリストに登録される。
その後、フィルタリングが有効化されて接続が完了するとともに、簡易接続ガイド手段７９は接続完了を報知する画面（Ｇ１４）に移行する。
このように、フィルタリストに固有ＩＤが登録されていない無線ＬＡＮ端末の接続及び固有ＩＤの登録に必要な携帯端末装置１００の操作回数は２回である。
すなわち、本実施形態の簡易接続によれば、２回の操作によって、所望の無線ＬＡＮ端末についてアクセスポイントへの接続処理を完了することが可能となる。
次に、参考例として、無線ＬＡＮ端末の固有ＩＤ（ＭＡＣアドレス）をフィルタリストに手動登録し、その後に接続を行う場合の手順について説明する。
図５に示すように、アクセスポイントモード画面（Ｇ１１）において、ユーザがアクセスポイント設定を選択し、所定の操作（決定ボタン操作）を行うと、簡易接続ガイド手段７９はアクセスポイント設定画面（Ｇ１５）に移行する。
この画面において、ユーザがＭＡＣフィルタ設定を選択し、所定の操作（決定ボタン操作）を行うと、簡易接続ガイド手段７９はＭＡＣフィルタ設定画面（Ｇ１６）に移行する。ＭＡＣフィルタ設定画面において、ユーザが所定の操作（追加ボタン操作）を行うと、簡易接続ガイド手段７９はＭＡＣアドレス入力画面（Ｇ１７）に移行し、ＭＡＣアドレスの入力を受け付ける。
ここで、無線ＬＡＮ端末のＭＡＣアドレスは、ユーザが、無線ＬＡＮ端末を操作して確認する必要があり、知識が十分でない一般の使用者が確認する場合は、説明書などを読みながら作業することとなる。
その後、確認したＭＡＣアドレスをユーザが入力して所定の操作（決定ボタン操作）をすると、簡易接続ガイド手段７９はＭＡＣフィルタ設定画面に戻り、入力されたＭＡＣアドレスが追加されたアドレス一覧を表示する（Ｇ１８）。
これにより、フィルタリストに対するＭＡＣアドレスの登録操作は完了する。その後、登録した無線ＬＡＮ端末を接続するには、アクセスポイントモード画面（Ｇ１１）まで画面を戻す操作や、アクセスポイントモード画面からアクセスポイント接続開始画面（Ｇ１２）に移行する操作も必要になる。したがって、携帯端末装置１００の操作回数は７回（アドレス入力を入れると８回）となる。
このように、本実施形態の簡易接続によらず、ユーザが無線ＬＡＮ端末の固有ＩＤを手動登録し、アクセスポイントへの接続を行う場合には、７回（８回）の操作が必要となる。よって、上述した簡易接続の場合の２回の操作と比較して、操作回数が多く、しかも、操作内容も複雑であることは明らかである。
次に、本発明の一実施形態に係る携帯端末装置の動作手順及び処理手順について、図６及び図７を参照して説明する。
図６は、本実施形態に係る携帯端末装置の簡易接続時における動作手順を示す図である。図７は、本実施形態に係る携帯端末装置の簡易接続時における処理手順を示すフローチャートである。
例えば、使用者が無線ＬＡＮインタフェースを搭載したゲーム機などの無線ＬＡＮ端末２００を用いてオンラインゲームを行う場合、ユーザは、アクセスポイント機能を有する携帯電話機などの携帯端末装置１００に接続することが必要となる。
無線ＬＡＮ端末２００を携帯端末装置１００に接続する場合は、まず、ユーザは、携帯端末装置１００において、前述した接続開始操作を行う（図６のＳ１１のＹＥＳ）。
これにより、携帯端末装置１００において図７に示す簡易接続処理が開始される。
簡易接続処理が開始されると、携帯端末装置１００は、ＭＡＣアドレスによるフィルタリングが有効か否かを判断し（図７のＳ２１）、フィルタリングが有効である場合は、フィルタリングを無効化する（図６のＳ１２、図７のＳ２２）。また、携帯端末装置１００は、自装置と無線ＬＡＮ端末２００との通信エリアを縮小させる（図６のＳ１３、図７のＳ２３）。
次に、接続待ち時間を制限するために、携帯端末装置１００は接続待ちタイマＴＭを起動し（図７のＳ２４）、無線ＬＡＮ端末２００の接続を待つ。
接続待ちタイマＴＭがタイムアウトした場合（図７のＳ２５のＹＥＳ）は、携帯端末装置１００は、フィルタリングを有効化し（図７のＳ２６）、簡易接続処理を終了する。
一方、接続待ちタイマＴＭの時間内に無線ＬＡＮ端末２００からの接続要求があった場合は（図７のＳ２７のＹＥＳ）、携帯端末装置１００は、無線ＬＡＮ端末２００との接続処理を実施する（図７のＳ２８）。また、携帯端末装置１００は接続処理において取得した無線ＬＡＮ端末２００のＭＡＣアドレスをフィルタリストに登録する（図６のＳ１４、図７のＳ２９）。
その後、携帯端末装置１００はフィルタリングを有効化するとともに（図６のＳ１５、図７のＳ３０）、通信エリアの縮小を解除する（図６のＳ１６、図７のＳ３１）。
上記のような簡易接続処理によれば、フィルタリストにＭＡＣアドレスが登録されていない無線ＬＡＮ端末２００であっても、事前の設定操作を必要とせず、簡易にアクセスポイントへの接続が可能となる。
しかも、無線ＬＡＮ端末２００のＭＡＣアドレスがフィルタリストに登録され、登録後は、フィルタリングが有効な状態となるので、目的外の無線ＬＡＮ端末２０１から接続要求があっても、フィルタリングにより接続を拒否することができる。
以上説明したように、本実施形態の携帯端末装置１００によれば、簡易接続手段７３は、フィルタリストに固有ＩＤが登録されていない無線ＬＡＮ端末２００の接続を許可するために、以下の処理を行う。すなわち、簡易接続手段７３は、フィルタリングを無効化する処理を行い、フィルタリングが無効化された状態における無線ＬＡＮ端末２００からの接続要求に応じて、当該無線ＬＡＮ端末２００の固有ＩＤを取得して、取得した固有ＩＤをフィルタリストに登録する。簡易接続手段７３は、当該無線ＬＡＮ端末２００の固有ＩＤをフィルタリストに登録した後に、フィルタリングを有効化する処理を行うことにより、フィルタリストに固有ＩＤが登録されていない無線ＬＡＮ端末２００であっても、事前の設定作業を必要とせずに、簡易にアクセスポイントを利用することができる。
しかも、簡易接続手段７３は、無線ＬＡＮ端末２００の接続に際してフィルタリストに固有ＩＤを登録できるだけでなく、接続後、速やかにフィルタリングを有効化することにより、他の無線ＬＡＮ端末によるアクセスポイントの不正使用も防止することができる。
また、簡易接続手段７３は、フィルタリングが無効化された状態における無線ＬＡＮ端末２００との通信エリアを、フィルタリングが有効化された状態における無線ＬＡＮ端末２００との通信エリアよりも縮小させる通信エリア縮小手段７７を備える。これにより、フィルタリングを無効化しても、他の無線ＬＡＮ端末によるアクセスポイントの不正使用や誤接続を防止することができる。
また、通信エリア縮小手段７７は、フィルタリングが無効化された状態における電波の出力レベルを、フィルタリングが有効化された状態における電波の出力レベルよりも低下させることにより、無線ＬＡＮ端末２００との通信エリアを縮小させる。これにより、簡単な回路構成により通信エリアを精度良く制限することができる。
また、簡易接続手段７３は、フィルタリングを無効化した後、所定の時間が経過しても無線ＬＡＮ端末２００から接続要求がない場合に、フィルタリングを有効化する簡易接続時間制限手段７８を備える。これにより、長時間に亘るフィルタリングの無効化を回避し、他の無線ＬＡＮ端末によるアクセスポイントの不正使用や誤接続を防止することができる。
さらに、簡易接続手段７３は、簡易接続の手順を画面に表示する簡易接続ガイド手段７９を備える。これにより、一般の使用者であっても、説明書などを読むことなく、携帯端末装置１００のアクセスポイント機能を簡単に利用することができる。
第２の実施形態
図８は、第２の実施形態に係る通信装置３００の構成を示すブロック図である。図８に示すように、通信装置３００は、アクセスポイント手段３０１、フィルタリング無効化手段３０２、固有ＩＤ登録手段３０３およびフィルタリング有効化手段３０４を備える。
アクセスポイント手段３０１は、無線端末を下位ネットワーク及び／又は上位ネットワークに接続させる。フィルタリング無効化手段３０２は、フィルタリストに固有ＩＤが登録されていない無線端末の接続を制限するフィルタリングを無効化する。固有ＩＤ登録手段３０３は、フィルタリングが無効化された状態における無線端末からの接続要求に応じて、無線端末の固有ＩＤを取得し、取得した固有ＩＤをフィルタリストに登録する。フィルタリング有効化手段３０４は、無線端末の固有ＩＤがフィルタリストに登録された後、フィルタリングを有効化する。
以上のように、第２の実施形態によれば、通信装置３００は上記構成を有するので、フィルタリストに固有ＩＤが登録されていない無線端末でも、事前の設定作業等を必要とせずに、簡易にアクセスポイントを利用することが可能となるという効果が得られる。
第３の実施形態
本発明の第３の実施形態は、上位ネットワークの基地局と通信する第一の無線装置と、下位ネットワークの無線端末と通信する第二の無線装置と、無線端末を下位ネットワーク及び／又は上位ネットワークに接続させるアクセスポイント手段と、フィルタリストに固有ＩＤが登録されていない無線端末の接続を制限するフィルタリング手段と、フィルタリストに固有ＩＤが登録されていない無線端末を下位ネットワーク及び／又は上位ネットワークに簡易的に接続させる簡易接続手段と、を備え、簡易接続手段が、フィルタリストに固有ＩＤが登録されていない無線端末の接続を許可すべく、フィルタリングを無効化するフィルタリング無効化手段と、フィルタリングが無効化された状態における無線端末からの接続要求に応じて、当該無線端末の固有ＩＤを取得し、取得した固有ＩＤをフィルタリストに自動的に登録する固有ＩＤ自動登録手段と、当該無線端末の固有ＩＤがフィルタリストに登録された後、フィルタリングを有効化するフィルタリング有効化手段と、を備える構成としてある。
第４の実施形態
本発明の第４の実施形態は、上位ネットワークの基地局と通信する第一の無線装置と、下位ネットワークの無線端末と通信する第二の無線装置と、無線端末を下位ネットワーク及び／又は上位ネットワークに接続させるアクセスポイント手段と、フィルタリストに固有ＩＤが登録されていない無線端末の接続を制限するフィルタリング手段と、を備える通信装置に、フィルタリストに固有ＩＤが登録されていない無線端末を下位ネットワーク及び／又は上位ネットワークに簡易的に接続させる簡易接続手順を実行させるとともに、簡易接続手順として、フィルタリストに固有ＩＤが登録されていない無線端末の接続を許可すべく、フィルタリングを無効化させるフィルタリング無効化手順、フィルタリングが無効化された状態における無線端末からの接続要求に応じて、当該無線端末の固有ＩＤを取得し、取得した固有ＩＤをフィルタリストに自動的に登録させる固有ＩＤ自動登録手順、当該無線端末の固有ＩＤがフィルタリストに登録された後、フィルタリングを有効化させるフィルタリング有効化手順と、を実行させる方法としてある。
第５の実施形態
本発明の第５の実施形態は、上位ネットワークの基地局と通信する第一の無線装置と、下位ネットワークの無線端末と通信する第二の無線装置と、無線端末を下位ネットワーク及び／又は上位ネットワークに接続させるアクセスポイント手段と、フィルタリストに固有ＩＤが登録されていない無線端末の接続を制限するフィルタリング手段と、を備える通信装置を、フィルタリストに固有ＩＤが登録されていない無線端末を下位ネットワーク及び／又は上位ネットワークに簡易的に接続させる簡易接続手段として機能させるとともに、簡易接続手段を、フィルタリストに固有ＩＤが登録されていない無線端末の接続を許可すべく、フィルタリングを無効化するフィルタリング無効化手段、フィルタリングが無効化された状態における無線端末からの接続要求に応じて、当該無線端末の固有ＩＤを取得し、取得した固有ＩＤをフィルタリストに自動的に登録する固有ＩＤ自動登録手段、当該無線端末の固有ＩＤがフィルタリストに登録された後、フィルタリングを有効化するフィルタリング有効化手段、として機能させる構成としてある。
以上、実施形態を参照して本発明を説明したが、本発明は上記実施形態に限定されるものではない。本発明の構成や詳細には、本発明のスコープ内で当業者が理解しうる様々な変更をすることができる。
例えば、上述した実施形態は、無線ＬＡＮのアクセスポイント機能が搭載された携帯電話機を例としているが、同等の機能が搭載されたＰＨＳ端末やＰＤＡ、携帯型のパーソナルコンピュータ、その他の通信装置にも本発明を適用することができ、その場合にも、上述した実施形態と同様の効果が得られる。
この出願は、２００９年４月３０日に出願された日本出願特願２００９−１１１４２４を基礎とする優先権を主張し、その開示の全てをここに取り込む。
【産業上の利用可能性】
【０００８】
本発明は、無線ＬＡＮなどのアクセスポイントとして動作する携帯端末装置や、このような携帯端末装置に無線ＬＡＮ端末を接続する接続方法及び接続プログラムにおいて利用できる。特に、アクセスポイントとしての想定外の利用機会や、緊急な利用機会への対応が求められる携帯端末装置において有用である。
【符号の説明】
【０００９】
７０  端末制御部
７１  アクセスポイント手段
７２  フィルタリング手段
７３  簡易接続手段
７４  フィルタリング無効化手段
７５  固有ＩＤ登録手段
７６  フィルタリング有効化手段
７７  通信エリア縮小手段
７８  簡易接続時間制限手段
７９  簡易接続ガイド手段
８１  無線装置
９１  無線装置
１００  携帯端末装置
２００  無線ＬＡＮ端末
【図１】
0005561275.tif 000002
【図２】
0005561275.tif 000003
【図３】
0005561275.tif 000004
【図４】
0005561275.tif 000005
【図５】
0005561275.tif 000006
【図６】
0005561275.tif 000007
【図７】
0005561275.tif 000008
【図８】
0005561275.tif 000009